【手続補正書】
【提出日】平成18年8月30日(2006.8.30)
【手続補正１】
【補正対象書類名】特許請求の範囲
【補正対象項目名】全文
【補正方法】変更
【補正の内容】
【特許請求の範囲】
【請求項１】
医療用製品であって、
該医療用製品の表面が、少なくとも１つの生物学的に安定なポリスルホン層で少なくとも部分的にコーティングされていることを特徴とする、医療用製品。
【請求項２】
前記ポリスルホンが、ポリエーテルスルホン、置換ポリエーテルスルホン、ポリフェニルスルホン、置換ポリフェニルスルホン、ポリスルホンブロック共重合体、ペルフルオロポリスルホンブロック共重合体、セミフルオロポリスルホンブロック共重合体、置換ポリスルホンブロック共重合体、および／または上記の重合体の混合物を包含する群より選択されることを特徴とする、請求項１に記載の医療用製品。
【請求項３】
前記少なくとも１つの生物学的に安定なポリスルホン層が、少なくとも１つの親水性重合体を含む、請求項１または２に記載の医療用製品。
【請求項４】
前記少なくとも１つの親水性重合体を含むポリスルホンが、５０質量％：５０質量％から９９．９９９質量％：０．００１質量％の混合比で存在する、請求項３に記載の医療用製品。
【請求項５】
前記親水性重合体が、ポリビニルピロリドン、グリセリン、ポリエチレングリコール、ポリプロピレングリコール、ポリビニルアルコール、ポリヒドロキシエチルメタクリレート、ポリアクリルアミド、ポリバレロラクトン、ポリ−ε−デカラクトン、ポリラクトン酸、ポリグリコール酸、ポリラクチド、ポリグリコリド、ポリラクチドとポリグリコリドとの共重合体、ポリ−ε−カプロラクトン、ポリヒドロキシブタン酸、ポリヒドロキシブチレート、ポリヒドロキシバレレート、ポリヒドロキシブチレート−ｃｏ−バレレート、ポリ（１、４−ジオキサン−２、３−ジオン）、ポリ（１、３−ジオキサン−２−オン）、ポリ−パラ−ジオキサノン、ポリ無水マレイン酸のようなポリ無水物、フィブリン、ポリシアノアクリレート、ポリカプロラクトンジメチルアクリレート、ポリ−ｂ−マレイン酸、ポリカプロラクトンブチルアクリレート、オリゴカプロラクトンジオールおよびオリゴジオキサノンジオール由来のような複合ブロック重合体、ＰＥＧおよびポリブチレンテレフタレートのようなポリエーテルエステル複合ブロック重合体、ポリピボトラクトン(polypivotolactones)、ポリグリコール酸トリメチルカーボネート、ポリカプロラクトン−グリコリド、ポリ−ｇ−エチルグルタメート、ポリ（ＤＴＨ−イミノカーボネート）、ポリ（ＤＴＥ−ｃｏ−ＤＴ−カーボネート）、ポリ（ビスフェノール−Ａ−イミノカーボネート）、ポリオルトエステル、ポリグリコール酸トリメチルカーボネート、ポリトリメチルカーボネート、ポリイミノカーボネート、ポリ（Ｎ−ビニル）−ピロリドン、ポリビニルアルコール、ポリエステルアミド、グリコール化ポリエステル、ポリホスホエステル、ポリホスファゼン、ポリ［（ｐ−カルボキシフェノキシ）プロパン］、ポリヒドロキシペンタン酸、ポリ無水物、ポリエチレンオキサイド−プロピレンオキサイド、ソフトポリウレタン、骨格中にアミノ酸残基を有するポリウレタン、ポリエチレンオキサイド、ポリアルケンオキサレート、ポリオルトエステル、およびそれらの共重合体のようなポリエーテルエステル、脂質、カラギーナン、フィブリノゲン、デンプン、コラーゲン、タンパク質をベースとする重合体、ポリアミノ酸、合成ポリアミノ酸、ゼイン、改変されたゼイン、ポリヒドロキシアルカノエート、ペクチン酸、アクチン酸、改変および未改変のフィブリンおよびカゼイン、カルボキシメチル硫酸塩、アルブミン、ヒアルロン酸、キトサンおよびその誘導体、コンドロイチン硫酸塩、デキストラン、β−シクロデキストリン、ＰＥＧとポリプロピレングリコールとの共重合体、アラビアガム、グアーガム、ゼラチン、コラーゲン、コラーゲン−Ｎ−ヒドロキシスクシンイミド、脂質、リン脂質、および上記物質の改変体および共重合体および／または混合物を包含する群より選択されることを特徴とする、請求項３または４に記載の医療用製品。
【請求項６】
前記親水性重合体が、ポリビニルピロリドン、ポリエチレングリコール、ポリプロピレングリコール、および／またはグリセリンを包含する群より選択されることを特徴とする、請求項５に記載の医療用製品。
【請求項７】
前記ポリスルホンコーティングの細孔の大きさが、ポリスルホンと、前記少なくとも１つの親水性重合体との混合比によって決定されることを特徴とする、請求項１から６のいずれかの項に記載の医療用製品。
【請求項８】
前記少なくとも１つの親水性重合体を有しているかまたは有していない少なくとも１つの生物学的に安定なポリスルホン層の下および／または上に、少なくとも１つの抗増殖剤、抗炎症剤、消炎剤、および／または抗血栓剤が存在することを特徴とする、請求項１から７のいずれかの項に記載の医療用製品。
【請求項９】
前記生物学的に安定な層が、前記医療用製品の表面に粘着性によりまたは共有結合的に結合していることを特徴とする、請求項１から８のいずれかの項に記載の医療用製品。
【請求項１０】
前記医療用製品の表面のコーティングが、１層、２層、または３層でなる、請求項１から９のいずれかの項に記載の医療用製品。
【請求項１１】
前記少なくとも１つの親水性重合体を有しているかまたは有していない少なくとも１つの生物学的に安定なポリスルホン層の下および／または上に、完全に脱スルホン化およびＮ−再アセチル化されたヘパリン、脱スルホン化およびＮ−再アセチル化されたヘパリン、Ｎ−カルボキシメチル化および／または部分的にＮ−アセチル化されたキトサン、および／またはこれらの物質の混合物の少なくとも１つの層が存在することを特徴とする、請求項１から１０のいずれかの項に記載の医療用製品。
【請求項１２】
多層系において、前記少なくとも２つの生物学的に安定な層が、前記親水性重合体の割合において異なるかまたは異ならないことを特徴とする、請求項１から１１のいずれかの項に記載の医療用製品。
【請求項１３】
多層系において、少なくとも１つの親水性重合体の混合物を有しているかまたは有していない前記少なくとも１つのポリスルホン層が、少なくとも１つの生分解性重合体の少なくとも１層で前記生物学的に安定なポリスルホン層を少なくとも部分的に被覆することを特徴とする、請求項１から１２のいずれかの項に記載の医療用製品。
【請求項１４】
前記少なくとも１つの抗増殖剤、抗炎症剤、消炎剤、および／または抗血栓剤が、シロリムス（ラパマイシン）、エベロリムス、ソマトスタチン、タクロリムス、ロキシスロマイシン、デュナイマイシン（dunaimycin）、アスコマイシン、バフィロマイシン（bafilomycin）、エリスロマイシン、ミデカマイシン、ジョサマイシン、コンカナマイシン（concanamycin）、クラリスロマイシン、トロレアンドマイシン、フォリマイシン（folimycin）、セリバスタチン、シンバスタチン、ロバスタチン、フルバスタチン、ロスバスタチン、アトルバスタチン、プラバスタチン、ピタバスタチン、ビンブラスチン、ビンクリスチン、ビンデシン、ビノレルビン、エトポシド、テニポシド、ニムスチン（nimustine）、カルムスチン、ロムスチン、シクロホスファミド、Ｃ−タイプナトリウム利尿性ペプチド（ＣＮＰ）、４−ヒドロキシシクロホスファミド、エストラムスチン、メルファラン、イホスファミド、トロホスファミド（trofosfamide）、クロラムブシル、ベンダムシチン（bendamustine）、ダカルバジン、ブスルファン、プロカルバジン、トレオスルファン（treosulfan）、テモゾロマイド、チオテパ、ダウノルビシン、ドキソルビシン、アクラルビシン、エピルビシン、ミトキサントロン、イダルビシン、ブレオマイシン、マイトマイシン、ダクチノマイシン、メトトレキサート、フルダラビン、フルダラビン−５’−２水素リン酸塩、クラドリビン、メルカプトプリン、チオグアニン、シタラビン、フルオロウラシル、ゲムシタビン、カペシタビン、ドセタキセル、カルボプラチン、シスプラチン、クリプトフィシン（cryptophycine）、アンギネクス（anginex）、オキサリプラチン、アムサクリン、イリノテカン、トポテカン、ヒドロキシカルバミド、ミルテフォシン、ペントスタチン、アルデスロイキン、トレチノイン、アスパラギナーゼ、ペグアスパルガーゼ、アナストロゾール、エキセメスタン、レトロゾール、フォルメスタン（formestane）、アミノグルテチミド、アドリアマイシン、アジスロマイシン、スピラマイシン、セファランチン（cepharantin）、ｓｍｃ増殖抑制剤−２ｗ、エポチロンＡおよびＢ、ミトキサントロン、アザチオプリン、マイコフェノラトモフェチル（mycophenolatmofetil）、ｃ−ｍｙｃ−アンチセンス、ｂ−ｍｙｃ−アンチセンス、ベツリン酸、カンプトテシン、ラパコール、β−ラパコン、ポドフィロトキシン、ベツリン、ポドフィリン酸２−エチルヒドラジド、モルグラモスチム（ｒｈｕＧＭ−ＣＳＦ）、ペグインターフェロンα−２ｂ、レノグラスチム（ｒ−ＨｕＧ−ＣＳＦ）、フィルグラスチム、マクロゴール、アンギネクス（anginex）、Ｎａ−利尿性ペプチド、ダカルバジン、バシリキシマブ、ダクリズマブ、セレクチン（サイトカイン拮抗剤）、クリプトフィシン（chryptophycine）、ＣＥＴＰ阻害剤、カドヘリン（cadherine）、サイトカイニン阻害剤、ＣＯＸ−２阻害剤、ＡＥ−９４１（登録商標、ネオバスタット）ＮＦｋＢ、アンギオペプチン（angiopeptin）、シプロフロキサシン、カンプトテシン、フルロブラスチン（fluroblastin）、モノクローナル抗体（筋肉細胞の増殖を抑制する）、ｂＦＧＦ拮抗剤、プロブコール、プロスタグランジン、Ａｃ−ＹＶＡＤ−ＣＭＫ、１，１１−ジメトキシカンチン−６−オン、１−ヒドロキシ−１��−メトキシカンチン−６−オン、スコポレチン、コルヒチン、テトラ硝酸ペンタエリスリトールおよびシンドノエイミン（syndnoeimine）のようなＮＯ供与体、Ｓ−ニトロソ誘導体、タモキシフェン、スタウロスポリン（staurosporine）、β−エストラジオール、α−エストラジオール、エストリオール、エストロン、エチニルエストラジオール、ホスフェストロール、メドロキシプロゲステロン、エストラジオールサイピオネート（estradiol cypionate）、エストラジオールベンゾエート、トラニラスト、カメバカウリンおよび他のテルペノイド（ガンの治療に適用される）、ベラパミル、チロシンキナーゼ阻害剤（チロホスチン）、シクロスポリンＡ、６−α−ヒドロキシ−パクリタキセル、バッカチン、タキソテール、およびその他のようなパクリタキセルおよびその誘導体、合成的に生産される並びに天然原料である亜酸化炭素から得られる大環状オリゴマー（ＭＣＳ）およびその誘導体、モフェブダゾン、アセメタシン、ジクロフェナク、ロナゾラク、ダプソン、ｏ−カルバミルフェノキシ酢酸、リドカイン、ケトプロフェン、メフェナム酸、ピロキシカム、メロキシカム、クロロキンリン酸塩、ペニシラミン、ヒドロキシクロロキン、オーラノフィン、金チオリンゴ酸ナトリウム、オキサセプロール（oxaceprol）、セレコキシブ、β−シトステリン、アデメチオニン（ademetionine）、ミルテカイン（myrtecaine）、ポリドカノール、ノニバミド（nonivamide）、レボメントール（levomenthol）、ベンゾカイン、アエシン、エリプティシン（ellipticine）、Ｄ−２４８５１（カルビオケム）、コルセミド、サイトカラシンＡ〜Ｅ、インダノシン（indanocine）、ノコダゾール（nocodazole）、Ｓ１００プロテイン、バシトラシン、ビトロネクチンレセプター拮抗剤、アゼラスチン、グアニジルシクラーゼ刺激剤、金属プロテイナーゼ−１および２の組織阻害剤、遊離核酸、ウイルス伝達物質に組み入れられた核酸、ＤＮＡおよびＲＮＡフラグメント、プラスミノゲンアクチベータ阻害剤−１、プラスミノゲンアクチベータ阻害剤−２、アンチセンスオリゴヌクレオチド、ＶＥＧＦ阻害剤、ＩＧＦ−１；セファドロキシル、セファゾリン、セファクロル、セフォタキシム（cefotaxim）、トブラマイシン、
ゲンタマイシンのような抗生物質；ジクロキサシリン、オキサシリンのようなペニシリン；スルホンアミド、メトロニダゾール、アルガトロバン、アスピリン、アブシキシマブ（abciximab）、合成の抗トロンビン薬、ビバリルジン（bivalirudin）、カウマジン（coumadin）、エノクサパリン（enoxaparin）、脱スルホン化およびＮ−再アセチル化されたヘパリン（登録商標、ヘモパリン（hemoparin））、組織プラスミノゲンアクチベータ、ＧｐＩＩｂ／ＩＩＩａ血小板膜レセプター、第Ｘａ因子阻害剤抗体、ヘパリン、ヒルディン、ｒ−ヒルディン、ＰＰＡＣＫ、プロタミン（protamin）、プロウロキナーゼ、ストレプトキナーゼ、ワーファリン、ウロキナーゼのような抗血栓剤；ジピラミドール（dipyramidole）、トリアゾロピリミジン（triazolopyrimidine）（登録商標、トラピジル）、ニトロプルシッドのような血管拡張薬；トリアゾロピリミジンおよびセラミン（seramin）のようなＰＤＧＦ拮抗剤；カプトプリル、シラザプリル、リシノプリル（lisinopril）、エナラプリル（enalapril）、ロサルタンのようなＡＣＥ阻害剤、チオプロテアーゼ阻害剤、プロスタサイクリン、バピプロスト（vapiprost）、インターフェロンα、β、およびγ、ヒスタミン拮抗剤、セロトニンブロッカー、アポトーシス阻害剤、ｐ６５ＮＦ−ｋＢまたはＢｃｌ−ｘＬアンチセンスオリゴヌクレオチドのようなアポトーシス調節剤、ハロフジノン、ニフェジピン、トコフェロール、トラニラスト、モルシドミン、茶ポリフェノール、エピカテキンガレート、エピガロカテキンガレート、ボスウェリン酸およびその誘導体、レフルノミド、アナキンラ、エタネルセプト、スルファサラジン、エトポシド、ジクロキサシリン、テトラサイクリン、トリアムシノロン、ムタマイシン、プロカインアミド、レチノイン酸、キニジン、ジソピリミド（disopyrimide）、フレカイニド、プロパフェノン、ソタロール、アミドロン（amidorone）、ブリオフィリンＡ（bryophyllin A）、イノトジオール（inotodiol）、マキロサイドＡ（maquiroside A）、ガラキノサイド（ghalakinoside）、マンソニン（mansonine）、ストレブロサイド（strebloside）、ヒドロコルチゾン、ベタメタゾン、デキサメタゾンのような天然および合成で製造されたステロイド；フェノプロフェン、イブプロフェン、インドメタシン、ナプロキセン、フェニルブタゾンのような非ステロイド性の物質（ＮＳＡＩＤＳ）；およびアシクロビル、ガンシクロビル、およびジドブジンのようなその他の抗ウイルス剤；クロトリマゾール、フルシトシン、グリセオフルビン、ケトコナゾール、ミコナゾール、ナイスタチン、テルビナフィンのような抗真菌薬；クロロキン、メフロキン、キニーネのような抗原虫薬；さらにヒポカエスクリン（hippocaesculin）、バリングトジェノール−Ｃ２１−アンゲレート（barringtogenol-C21-angelate）、１４−デヒドロアグロスチスタチン（14-dehydroagrostistachin）、アグロスケリン（agroskerin）、アグロスチスタチン（agrostistachin）、１７−ヒドロキシアグロスチスタチン（17-hydroxyagrostistachin）、オバトジオリド（ovatodiolids）、４，７−オキシシクロアニソメリン酸（4,7-oxycycloanisomelic acid）、バッカリノイド（baccharinoids）Ｂ１、Ｂ２、Ｂ３、およびＢ７、ツベイモサイド（tubeimoside）、ブルセアノール（bruceanol）Ａ、Ｂ、およびＣ、ブルセアン��ノサイド（bruceantinoside）Ｃ、ヤダンジオサイド（yadanzioside）ＮおよびＰ、イソデオキシエレファントピン（isodeoxyelephantopin）、トメンファントピン（tomenphantopin）ＡおよびＢ、コロナリン（coronarin）Ａ、Ｂ、Ｃ、およびＤ、ウルソール酸、ハイプタチン酸（hyptatic acid）Ａ、ゼオリン、イソイリドジャーマナル（iso-iridogermanal）、
マイテンフォリオール（maytenfoliol）、エフサンチン（effusantin）Ａ、エクシサニン（excisanin）ＡおよびＢ、ロンギカウリン（longikaurin）Ｂ、スクルポネアチン（sculponeatin）Ｃ、カメバウニン（kamebaunin）、レウカメニン（leukamenin）ＡおよびＢ、１３，１８−デヒドロ−６−α−セネシオイロキシカパリン（dehydro-6-α-senecioyloxychaparrin）、タクサマイリン（taxamairin）ＡおよびＢ、レジェニロール（regenilol）、トリプトリド（triptolide）のような天然テルペノイド類；さらにシマリン、アポシマリン（apocymarin）、アリストロキア酸、アノプテリン（anopterin）、ヒドロキシアノプテリン（hydroxyanopterin）、アネモニン、プロトアネモニン、ベルベリン、塩化ケリブリン（cheliburin chloride）、シクトキシン（cictoxin）、シノコクリン（sinococuline）、ボムブレスタチン（bombrestatin）ＡおよびＢ、クドライソフラボン（cudraisoflavone）Ａ、クルクミン、ジヒドロニチジン（dihydronitidine）、塩化ニチジン（nitidine chloride）、１２−β−ヒドロキシプレグナジエン−４，１６−ジエン−３，２０−ジオン、ビロボール、ギンコール、ギンコール酸、ヘレナリン、インディシン（indicine）、インディシン−Ｎ−オキサイド（indicine-N-oxide）、ラシオカルピン、イノトジオール（inotodiol）、グリコシド１ａ、ポドフィロトキシン、ジャスティシジン（justicidin）ＡおよびＢ、ラレアチン（larreatin）、マロテリン（malloterin）、マロトクロマノール（mallotochromanol）、イソブチリルマロトクロマノール（isobutyrylmallotochromanol）、マキロサイド（maquiroside）Ａ、マルカンチン（marchantin）Ａ、マイタンシン、ライコリディシン（lycoridicin）、マルゲチン（margetine）、パンクラティスタチン（pancratistatin）、リリオデニン（liriodenine）、ビスパルセノリジン（bisparthenolidine）、オキソシンサニン（oxoushinsunine）、アリストラクタム−ＡＩＩ、ビスパルセノリジン（bisparthenolidine）、ペリプロコサイド（periplocoside）Ａ、ビスパルセノリジン（bisparthenolidine）、ペリプロコサイド（periplocoside）Ａ、ガラキノサイド（ghalakinoside）、ウルソール酸、デオキシプソロスペルミン（deoxypsorospermin）、プシコルビン（psychorubin）、リシンＡ、サンギナリン、マヌー小麦酸（manwu wheat acid）、メチルソルビフォリン（methylsorbifolin）、スファセリアクロメン（sphatheliachromen）、スチゾフィリン（stizophyllin）、マンソニン（mansonine）、ストレブロサイド（strebloside）、アカゲリン（akagerine）、ジヒドロウサムバレンシン（dihydrousambarensine）、ヒドロキシウサムバリン（hydroxyusambarine）、ストリクノペンタミン（strychnopentamine）、ストリクノフィリン（strychnophylline）、ウサムバリン（usambarine）、ウサムバレンシン（usambarensine）、ベルベリン、リリオデニン（liriodenine）、オキソウシンサニン（oxoushinsunine）、ダフノレチン（daphnoretin）、ラリシレシノール、メトキシラリシレシノール、シリンガレシノール（syringaresinol）、ウンベリフェロン（umbelliferon）、アフロモソン（afromoson）、アセチルビスミオン（acetylvismione）Ｂ、デスアセチルビスミオン（desacetylvismione）Ａ、ビスミオン（vismione）ＡおよびＢを包含する群より選択されることを特徴とする、請求項８から１３のいずれかの項に記載の医療用製品。
【請求項１５】
前記少なくとも１つの抗増殖剤、抗炎症剤、消炎剤、および／または抗血栓剤が、パクリタキセルおよびその誘導体、β−エストラジオール、シムバスタチン、ＰＩ−８８（Ｐｒｏｇｅｎ  Ｉｎｄ．）、大環状亜酸化炭素（ＭＣＳ）およびそれらの誘導体、トラピジル（登録商標）、Ｎ−（ピリジン−４−イル）−[１−４−（４−クロロベンジル）−インドール−３−イル]−グリオキシルアミド（Ｄ−２４８５１）、活性化プロテインＣ（ａＰＣ）、Ａｃ−ＹＶＡＤ−ＣＭＫ、アンギネクス（β−Ｐｅｐ２５）、ネオバスタット（登録商標）、クリプトフィシン５２、タクロリムスを包含する群より選択されることを特徴とする、請求項１４に記載の医療用製品。
【請求項１６】
前記少なくとも１つの抗増殖剤、抗炎症剤、消炎剤、および／または抗血栓剤が、０．００１〜２０ｍｇ／ｃｍ２・表面の薬学的に活性な濃度で含まれることを特徴とする、請求項８から１５のいずれかの項に記載の医療用製品。
【請求項１７】
多層系において、前記少なくとも１つの親水性重合体の混合物を有しているかまたは有していない少なくとも２つの層が、少なくとも１つの活性な薬剤を同一または異なる活性な薬剤濃度で含み、該活性な薬剤が共有結合的におよび／または粘着性により接着されていることを特徴とする、請求項８から１６のいずれかの項に記載の医療用製品。
【請求項１８】
多層系において、最後の層が純粋な活性な薬剤の層であり、共有結合的におよび／または粘着性により接着されることを特徴とする、請求項８から１７のいずれかの項に記載の医療用製品。
【請求項１９】
少なくとも１つの活性な薬剤を含む前記少なくとも１つの生物学的に安定なポリスルホン層が、少なくとも１つの活性な薬剤で被覆され、および／または活性な薬剤を含まないか、または同一のあるいは異なる濃度で少なくとも１つの活性な薬剤を含む生分解性重合体の層で共有結合的におよび／または粘着性により少なくとも部分的に被覆されることを特徴とする、請求項１から１８のいずれかの項に記載の医療用製品。
【請求項２０】
医療用製品の生体適合性のコーティング方法であって、
（ａ）医療用製品を供給する工程、および
（ｂ）少なくとも１つの親水性重合体を有しているかまたは有していない少なくとも１つの生物学的に安定なポリスルホン層を付着させる工程、および
（ｃ）該生物学的に安定な層の上におよび／または中に、少なくとも１つの抗増殖剤、抗炎症剤、消炎剤、および／または抗血栓剤を付着させるおよび／または組み込む工程、または
（ｂ’）少なくとも１つの抗増殖剤、抗炎症剤、消炎剤、および／または抗血栓剤と共に、少なくとも１つの親水性重合体を有しているかまたは有していない少なくとも１つの生物学的に安定なポリスルホン層を付着させる工程、
により特徴づけられる、方法。
【請求項２１】
前記工程（ｂ’）、および
さらに、（ｃ’）少なくとも１つの抗増殖剤、抗炎症剤、消炎剤、および／または抗血栓剤を、前記生物学的に安定な重合体層の上に付着させる工程、
を包含する、請求項２０に記載の方法。
【請求項２２】
さらに、（ｄ）少なくとも１つの第２の生物学的に安定なポリスルホン層を付着させる工程であって、該ポリスルホン層が第１の層に等しいかまたは異なる親水性重合体の含有量を有するかまたは有しておらず、かつ該第２のポリスルホン層の付着時に同一のまたは異なる濃度の少なくとも１つの活性な薬剤を組み込むかおよび／または付着させる、工程
を包含することを特徴とする、請求項２０または２１に方法。
【請求項２３】
さらに、（ｄ’）少なくとも１つの生分解性重合体の少なくとも１つのさらなる層を付着させる工程であって、該層の付着時に、同一のまたは異なる濃度の少なくとも１つの活性な薬剤を用いないかまたは組み込むかおよび／または付着させる工程、
を包含する、請求項２０から２２のいずれかの項に記載の方法。
【請求項２４】
前記少なくとも１つの生物学的に安定なポリスルホン層の上および／または下に、完全に脱スルホン化およびＮ−再アセチル化されたヘパリン、Ｎ−カルボキシメチル化および／または部分的にＮ−アセチル化されたキトサン、および／またはこれらの物質の混合物の少なくとも１つの層を付着させる工程、
を包含する、請求項２０から２３のいずれかの項に記載の方法。
【請求項２５】
請求項２０から２４のいずれかの項に記載の方法によって得られ得る、医療用製品。
【請求項２６】
前記少なくとも１つの抗増殖剤、抗炎症剤、消炎剤、および／または抗血栓剤が、表面コーティングを介して制御された方式で放出されることを特徴とする、請求項８から１９および２５のいずれかの項に記載の医療用製品。
【請求項２７】
前記抗増殖剤、抗炎症剤、消炎剤、および／または抗血栓剤のそれぞれが、前記医療用製品に０．００１〜１０ｍｇ／ｃｍ２・表面の薬学的に活性な濃度で含まれ、そしてそれは、活性な薬剤を有する層ごとに含まれることを特徴とする、請求項８から１９、２５および２６のいずれかの項に記載の医療用製品。
【請求項２８】
前記医療用製品がステントである、請求項１から１９および２５から２７のいずれかの項に記載の医療用製品。